(57)【要約】【課題】  動物の体内に蓄溜されている不要液体を円滑に、かつ安定的に吸引除去すると共に取扱が簡便で運搬も容易にできる軽量な動物不要液自動吸出装置を提供する。【解決手段】  シリンダ部２及びピストン部３からなる吸引具１はベース台４上に第１乃至第３の保持具５，６，７により水平に保持される。コントロール部１０を作動してモータ９ａを作動することによりリード軸８が回転し、これに螺合している第３の保持具７がベース台４上に沿って移動する。これにより、ピストン部３が移動しシリンダ部２内に不要液体１４を吸引することができる。【選択図】  図１
0003134282.tif 000002
【実用新案登録請求の範囲】
【請求項１】
動物の体内に蓄溜している不要液体を吸引除去するための不要液自動吸出装置であって、該装置は、シリンダ部とピストン部を有する筒体状の吸出具と、該吸出具を水平方向に保持し上面にスライドレールを形成するベース台と、該ベース台上に着脱及び移動可能に支持されている第１の保持具，第２の保持具，第３の保持具と、前記ベース台内に収納され水平方向に沿って配置されるリード体と駆動手段及び該駆動手段のコントロール部とを有するものからなり、前記シリンダ部の先端には前記動物に注射される吸引針に連通する吸出口が形成され、前記第１の保持具は、前記シリンダ部の外周を保持すると共に前記シリンダ部全体を水平面に対して傾斜する方向に回動可能に支持するものからなり、前記第２の保持具は、前記シリンダ部の後端を保持するものからなり、前記第３の保持具は、ピストン部の後端を保持すると共に前記ベース台の前記スライドレールに摺動可能に係合するガイドブロックと前記リード軸に螺合するナット部を形成するものからなることを特徴とする動物不要液自動吸出装置。
【請求項２】
前記リード軸の露出端部には、手廻し用のノブ又はハンドルが設けられることを特徴とする請求項１に記載の動物不要液自動吸出装置。
【請求項３】
前記駆動手段が、モータとこの交直流電源からなることを特徴とする請求項１に記載の動物不要液自動吸出装置。
【考案の詳細な説明】
【技術分野】
【０００１】
本考案は、犬や猫や牛馬等の動物の体内に蓄溜する不要液体（例えば、水）を吸引して排出除去する装置に係り、特に簡便で軽量のものからなり吸出操作が容易にできる動物不要液自動吸出装置に関する。
【背景技術】
【０００２】
蓄溜している液体を吸引して除去する装置や機具は各種のものがあり、装置構造としてシリンダ部やピストン部を有するものが多いが、動物の体内に蓄溜している不要液体を吸引して除去するために使用される機具としても従来よりシリンダ部とピストン部とからなる吸出具が使用されている。また、本考案と使用目的において相違するが、やや似ている機具として「特許文献１」が挙げられる。
【特許文献１】特開平９−３０８６５７号（図１）
【考案の開示】
【考案が解決しようとする課題】
【０００３】
前記の「特許文献１」の「特開平９−３０８６５７号」は排泄物を自動的に水洗吸引するものであるが、前記したように全体構造及びその目的も後述する本考案とは相異するものである。
また、前記の従来より使用されているシリンダ部とピストン部とからなる吸引具としては次のような問題点がある。
【０００４】
従来の前記吸引具を用いて動物の不要液体を吸引するには、まず動物の不要液体の蓄溜部に吸引針を注射し、この吸引針に連結されているフレキシブルチューブを前記シリンダ部の先端に形成されている吸出口に連結し、シリンダ部を保持しながらピストン部を移動させることにより行われる。以上の動作は１人の人間では無理であり、更にシリンダ部としてもやや大径のものからなり、１人の力で円滑に（安定状態で）不要液体を吸引することは困難であった。このため、簡便な吸出装置が要請されていたが、この目的に対応する装置が存在していなかった。
【０００５】
本考案は、以上の要請に鑑みて考案されたものであり、動物の体内に蓄溜している不要液体を簡単に、かつ安定的に自動吸引して排出除去でき、簡便に持ち運び操作できる動物不要液自動吸出装置を提供することを目的とする。
【課題を解決するための手段】
【０００６】
本考案は以上の目的を達成するために、請求項１の考案は、動物の体内に蓄溜している不要液体を吸引除去するための不要液自動吸出装置であって、該装置は、シリンダ部とピストン部を有する筒体状の吸出具と、該吸出具を水平方向に保持し上面にスライドレールを形成するベース台と、該ベース台上に着脱及び移動可能に支持されている第１の保持具，第２の保持具，第３の保持具と、前記ベース台内に収納され水平方向に沿って配置されるリード体と駆動手段及び該駆動手段のコントロール部とを有するものからなり、前記シリンダ部の先端には前記動物に注射される吸引針に連通する吸出口が形成され、前記第１の保持具は、前記シリンダ部の外周を保持すると共に前記シリンダ部全体を水平面に対して傾斜する方向に回動可能に支持するものからなり、前記第２の保持具は、前記シリンダ部の後端を保持するものからなり、前記第３の保持具は、ピストン部の後端を保持すると共に前記ベース台の前記スライドレールに摺動可能に係合するガイドブロックと前記リード軸に螺合するナット部を形成するものからなることを特徴とする。
【０００７】
また、請求項２の考案は、前記リード軸の露出端部には、手廻し用のノブ又はハンドルが設けられることを特徴とする。
【０００８】
また、請求項３の考案は、前記駆動手段が、モータとこの交直流電源からなることを特徴とする。
【考案の効果】
【０００９】
本考案の請求項１の動物不要液自動吸出装置によれば、動物の不要液体を吸引する部分にシリンダ部の吸出口を連通せしめ、装置にシリンダ部を保持した状態で第３の保持具に保持されているピストン部をモータやコントロール部によってシリンダ部から出入する方向に自動的に移動することにより、シリンダ部に不要液体を安定的に、かつ容易に吸引し、排出することができる。また、各保持具はベース台上に移動可能に、かつ着脱可能に支持されているため、シリンダ部等の大きさが変化しても柔軟に対応することができる。
【００１０】
また、本考案の請求項２の動物不要液自動吸出装置によれば、リード軸に手廻し用のノブ又はハンドルが設けられているため、モータ等の故障があった場合でも本装置を作動させることが可能である。
【００１１】
また、本考案の請求項３の動物不要液自動吸出装置によれば、モータは交流電源や電池などの直流電源で作動可能に形成されるため、交流電源のない場所においても手軽に操作でき、持ち運びが簡単にできる。
【考案を実施するための最良の形態】
【００１２】
以下、本考案の動物不要液自動吸出装置の実施の形態を図面を参照して詳述する。
図１及び図２は本考案の動物不要液自動吸出装置１００の全体構造を示す平面図及び側面図（断面図を含む）である。
【００１３】
動物不要液自動吸出装置１００は、大別してシリンダ部２及びピストン部３からなる吸出具１と、ベース台４と、第１乃至第３の保持具５，６，７と、ベース台４内に収納されているリード軸８及びこの駆動手段９とそのコントロール部１０及び手廻し用ノブ１１等とからなる。なお、図１はベ−ス台４の後部の蓋１６を取り外した状態を示す。
【００１４】
吸出具１は筒状のシリンダ部２とこの内部に挿出自在に保持されるピストン部３からなる。シリンダ部２はその先端に吸出口２ａを形成すると共に後端には鍔２ｂを形成するものからなる。また、その外周には吸引された不要液体の吸入量を表示するための目盛２ｃが刻設されている。一方、ピストン部３はシリンダ部２内に挿脱自在に支持される摺動部３ａとその後端に形成されている鍔３ｂ等を有するものからなる。
ベース台４は、その上面にガイドレール４ａを形成し内部に空間部４ｂを形成するコ字形状断面のものからなる。この空間部４ｂ内にはリード軸８やこの駆動手段９の１つであるモータ９ａが収納されている。なお、リード軸８はベース台４の後端から露出し、この露出部には手廻し用ノブ１１が螺着されている。
【００１５】
第１の保持具５は、ベース台４上に移動可能にビス止めされている一対のアーム状保持体５ａと、このアーム状保持体５ａの前端に回動可能に支持されているリング体５ｂからなり、リング体５ｂはシリンダ部２の外周を保持するものからなる。
【００１６】
また、第２の保持具６は、ベース台４上に移動可能にビス止めされている保持体６ａと、保持体６ａと共にシリンダ部２の鍔２ｂを挟持する挟持体６ｂとからなる。以上の第１の保持具５と第２の保持具６とにより、シリンダ部２はベース台４上の一定位置に水平に不動状態で保持される。なお、シリンダ部２の大きさが相異するものに対しては、これに見合うアーム状保持体５ａやリング体５ｂ及び保持体６ａ及び挟持体６ｂ等をそれに対応して交換すればよく、各種サイズの吸出具１に対応することができる。
【００１７】
また、第３の保持具７は、図３に示すように、ピストン部３の鍔３ａを挟持する挟持体７ａと、この挟持体７ａの下部に配設されてベース台４のガイドレール４ａに摺動可能に支持されるガイドブロック部７ｂと、この下部に配設されてリード軸８に螺着されるナット部７ｃを有するものからなる。
【００１８】
コントロール部１０は、本実施の形態ではモータ９ａのＯＮ−ＯＦＦ用のノブ１０ａとその速度をコントロールするダイヤル１０ｂを有するものからなる。
【００１９】
次に、本考案の動物不要液自動吸出装置１００による不要液体の吸引除去作用について説明する。前記のように、シリンダ部２は第１の保持具５と第２の保持具６とによりベース台４上の所定位置に支持される。動物１２の不要液体１４の蓄溜している部位には吸引針１３が挿入され、吸引針１３はフレキシブルチューブ１５を介してシリンダ部２の吸出口２ａに連結される。
【００２０】
以上の状態においてコントロール部１０を作動すると、モータ９ａの動作によりリード軸８が回転する。このリード軸８には第３の保持具７のナット部７ｃが螺着されているためリード軸８の回転により第３の保持具７がベース台４上を移動する。この移動はベース台４のガイドレール４ａと第３の保持具のガイドブロック７ｂとの係合により円滑に行われる。図４はピストン部３の移動状態を模式的に示すものである。以上により、シリンダ部２内には動物の不要液体１４が吸引される。なお、この吸引は以上の構造により、安定的に、かつ円滑に行われる。
【００２１】
シリンダ部２内に吸引された不要液体１４の排出除去は次の作用によって行われる。第１の保持具５は前記のようにアーム状保持体５ａとリング体５ｂとからなるため、図２に示すようにフレキシブルチューブ１５を外しリング体５ｂを回動することにより吸出具１はリング体５ｂのみにより保持されて傾斜する。これによりピストン部３を作動することによりシリンダ部２内の不要液体１４を簡単に排出除去することができる。
【００２２】
本考案の動物不要液自動吸出装置１００は、以上の構造のものからなるが、本考案は、以上の構造に限定されるものでなく、同一技術的範疇のものが適用されることは勿論である。
【産業上の利用可能性】
【００２３】
本考案の動物不要液自動吸出装置は動物の不要液体の吸引除去に適用されるが、動物の内容は多岐にわたり、その利用範囲は広い。
【図面の簡単な説明】
【００２４】
【図１】本考案の動物不要液自動吸出装置の全体構造を示す平面図。
【図２】図１の側面図。
【図３】第３の保持具の構成を示す横断面図。
【図４】本考案の動物不要液自動吸出装置の吸引動作を示す模式図。
【符号の説明】
【００２５】
１      吸出具
２      シリンダ部
２ａ    吸出口
２ｂ    鍔
２ｃ    目盛
３      ピストン部
３ａ    摺動部
３ｂ    鍔
４      ベース台
４ａ    ガイドレール
４ｂ    空間部
５      第１の保持具
５ａ    アーム状保持体
５ｂ    リング体
６      第２の保持具
６ａ    保持体
６ｂ    挟持体
７      第３の保持具
７ａ    挟持体
７ｂ    ガイドブロック
７ｃ    ナット部
８      リード軸
９      駆動手段
９ａ    モータ
１０    コントロール部
１０ａ  ＯＮ−ＯＦＦ用のノブ
１０ｂ  ダイヤル
１１    手廻し用ノブ（ハンドル）
１２    動物
１３    吸引針
１４    不要液体
１５    フレキシブルチューブ
１６    蓋
１００  動物不要液自動吸出装置
【図１】
0003134282.tif 000003
【図２】
0003134282.tif 000004
【図３】
0003134282.tif 000005
【図４】
0003134282.tif 000006